(57)【特許請求の範囲】
【請求項１】
上端部に注出ノズル(21)を突出させたエアゾール式容器である容器体(20)の上端部に不動に組付き、前記注出ノズル(21)を内部に位置させたロック筒(5) を中央に起立設し、該ロック筒(5) の上端縁部に一対のロック解除切欠き(6) を対称に形成した組付き体(1) と、該組付き体(1) に昇降変位および回動変位可能に組付くと共に、前記ロック筒(5) 内に挿入されて、下端部を前記注出ノズル(21)に上方から突き当たった状態で密に外嵌させる連結筒片(17)を有し、該連結筒片(17)上端に連通して注出通路を形成すべく横設された注出筒(14)と、該注出筒(14)に対して前記連結筒片(17)の反対側に設けたロック突片(18)とを、前記ロック筒(5) 上端面に乗り上げ可能とすると共に、回動変位により下方に対向した前記ロック解除切欠き(6) に下降侵入可能としたノズルヘッド(12)とから構成され、前記組付き体(1) とノズルヘッド(12)との間に、一方の回動限で前記ロック筒(5) 上端面に前記注出筒(14)およびロック突片(18)が乗り上げ、他方の回動限で前記ロック解除切欠き(6) に前記注出筒(14)およびロック突片(18)が対向する回動規制手段を設け、また前記ロック筒(5) に撓み変形に伴う下降変位の発生を阻止する補強手段を設けて成るノズルヘッド装置。
【請求項２】
回動規制手段を、組付き体(1) の筒状部分に摺動嵌入して、該組付き体(1) に対するノズルヘッド(12)の昇降変位および回動変位をガイドすべく該ノズルヘッド(12)に設けた筒壁(15)の下端縁部に、注出ノズル(21)の開閉ストロークよりも大きい高さで形成された回動規制切欠き(16)と、該回動規制切欠き(16)内に、該回動規制切欠き(16)の上端縁との間に、前記注出ノズル(21)を開閉させるに必要な間隔を開けて位置すべく前記組付き体(1) に突設され、前記回動規制切欠き(16)の周方向端縁に突き当たることにより回動限を設定する回動規制突片(7) と、で構成した請求項１記載のノズルヘッド装置。
【請求項３】
補強手段を、中央内周縁からロック筒(5) を起立設し、容器体(20)のマウント(22)に搭載する平リング板状の隔板(4) と、前記ロック筒(5) との間に縦壁片状に複数設けた補強リブ(9) で構成した請求項１または２記載のノズルヘッド装置。
【請求項４】
補強手段を、ロック筒(5) の直下に垂下設され、下端縁を容器体(20)のノズルマウント(23)上面に当接させた支持筒片(10)で構成した請求項１または２記載のノズルヘッド装置。
【請求項５】
組付き体(1) とノズルヘッド(12)との一方に、薄突片(8) を設け、他方に、前記薄突片(8) の先端部に周方向から引っ掛かる引っ掛かり突片(19)を設け、前記組付き体(1) に対してノズルヘッド(12)が、ロック筒(5) 上端面に注出筒(14)およびロック突片(18)が搭載するロック状態と、ロック解除切欠き(6) に前記注出筒(14)およびロック突片(18)が対向するロック解除状態との間で切り替わる回動位置で、前記引っ掛かり突片(19)が前記薄突片(8) を乗り越える相互位置関係に、前記薄突片(8) と引っ掛かり突片(19)とを配置した請求項１または２または３または４記載のノズルヘッド装置。
【発明の詳細な説明】
【０００１】
【産業上の利用分野】
本発明は、エアゾール式容器に取付けられるノズルヘッド装置に関するものである。
【０００２】
【従来の技術】
エアゾール式容器には、このエアゾール式容器の開閉を制御すると共に、噴出される内容液を設定した一定方向に一定状態で導くノズルヘッド装置が取付けられているが、このノズルヘッド装置は、エアゾール式容器である容器体の注出ノズルに連通した状態で組付けられ、内容液の一定した噴出通路を形成するノズルヘッドと、容器体に不動に組付き、ノズルヘッドの動きを制御する組付き体と、から構成されているのが一般である。
【０００３】
このように、ノズルヘッド装置は、組付き体とノズルヘッドとから構成されているのであるが、ノズルヘッドの不正な下降変位の発生を阻止し、容器体からの内容液の漏れとか、不正噴出を防止することを可能とした従来技術として、特開平５−２８５４２８号公報に開示された技術がある。
【０００４】
この従来技術は、組付き体を不動に組付けた容器体に対してノズルヘッドを回動変位させて、このノズルヘッドの一部を組付き体の一部に係止させることにより、ノズルヘッドを下降変位不能にロックし、もってノズルヘッドの不要なおよび不正な下降変位を阻止するばかりでなく、ノズルヘッドの下降変位をロックする組付き体、およびノズルヘッド自体の撓み変形による容器体の注出ノズルの下降開放の発生を確実に防止すべく、ロック状態で、ノズルヘッドと容器体の注出ノズルとの突き当たり部分間に、上記した撓み変形による変位量よりも大きい隙間を形成する構成となっていて、きわめて高いそして確実で安定した内容液の漏れおよび不正噴出防止効果を発揮するものとなっている。
【０００５】
【発明が解決しようとする課題】
しかしながら、上記した従来技術にあっては、ロック状態で、容器体の注出ノズルとノズルヘッドとの突き当たり部分間に隙間を形成するために、注出ノズルに対してノズルヘッドを昇降変位可能に組付ける必要があり、このため容器体に不動に組付いた組付き体とノズルヘッドとの間に、ノズルヘッドの回動変位自在ではあるが抜け出し不能な組付け構造部分を必要とすると云う問題があった。
【０００６】
また、ノズルヘッドをロック解除状態（内容液噴出可能状態）からロック状態に回動切替えする際に、ノズルヘッドを注出ノズルに対して、前記した隙間分だけ強制的に上昇変位させる必要があり、この注出ノズルに対してノズルヘッドを隙間分だけ上昇変位させるための構造部分を必要とすると云う問題があった。
【０００７】
そこで、本発明は、上記した従来技術における問題点を解消すべく創案されたもので、組付き体およびノズルヘッドの撓み変形によるノズルヘッドの注出ノズルに対する下降変位発生を皆無もしくは微小にすることを技術的課題とし、もって簡単な構造で内容液の漏出および不正噴出の防止効果の高いノズルヘッド装置を提供することを目的とする。
【０００８】
【課題を解決するための手段】
上記技術的課題を解決するため、本発明のうち請求項１記載の発明は、上端部に注出ノズルを突出させたエアゾール式容器である容器体の上端部に不動に組付き、容器体の注出ノズルを内部に位置させたロック筒を中央に起立設し、このロック筒の上端縁部に一対のロック解除切欠きを対称に形成した組付き体を有すること、
この組付き体に昇降変位および回動変位可能に組付くと共に、組付き体のロック筒内に挿入されて、下端部を容器体の注出ノズルに上方から突き当たった状態で密に外嵌させる連結筒片を有し、この連結筒片上端に連通して注出通路を形成すべく横設された注出筒と、この注出筒に対して連結筒片の反対側に設けたロック突片とを、組付き体のロック筒上端面に乗り上げ可能とすると共に、回動変位により下方に対向した組付き体のロック解除切欠きに下降侵入可能としたノズルヘッドを有すること、
組付き体とノズルヘッドとの間に、一方の回動限で組付き体のロック筒上端面にノズルヘッドの注出筒およびロック突片が乗り上げ、他方の回動限で組付き体のロック解除切欠きにノズルヘッドの注出筒およびロック突片が対向する回動規制手段を設けること、
組付き体のロック筒に、撓み変形に伴う下降変位の発生を阻止する補強手段を設けること、
を手段としている。
【０００９】
請求項２記載の発明は、請求項１記載の発明のうち、回動規制手段を、組付き体の筒状部分に摺動嵌入して、この組付き体に対するノズルヘッドの昇降変位および回動変位をガイドすべく、このノズルヘッドに設けた筒壁の下端縁部に、容器体の注出ノズルの開閉ストロークよりも大きい高さで形成された回動規制切欠きと、このノズルヘッドの回動規制切欠き内に、回動規制切欠きの上端縁との間に、容器体の注出ノズルを開閉させるに必要な間隔を開けて位置すべく組付き体に突設され、ノズルヘッドの回動規制切欠きの周方向端縁に突き当たることにより回動限を設定する回動規制突片と、で構成したものである。
【００１０】
請求項３記載の発明は、請求項１記載の発明のうち、組付き体のロック筒に対する補強手段を、中央内周縁からロック筒を起立設し、容器体のマウントに搭載する平リング板状の隔板と、ロック筒との間に縦壁片状に複数設けた補強リブで構成したものである。
【００１１】
請求項４記載の発明は、請求項１記載の発明のうち、組付き体のロック筒に対する補強手段を、ロック筒の直下に垂下設され、下端縁を容器体のノズルマウント上面に当接させた支持筒片で構成したものである。
【００１２】
請求項５記載の発明は、請求項１記載の発明に、組付き体とノズルヘッドとの一方に、薄突片を設け、他方に、薄突片の先端部に周方向から引っ掛かる引っ掛かり突片を設け、組付き体に対してノズルヘッドが、組付き体のロック筒上端面に注出筒およびロック突片が搭載するロック状態と、組付き体のロック解除切欠きに注出筒およびロック突片が対向するロック解除状態との間で切り替わる回動位置で、引っ掛かり突片が薄突片を乗り越える相互位置関係に、薄突片と引っ掛かり突片とを配置した構成を加えたものである。
【００１３】
【作用】
請求項１記載の発明は、組付き体が、容器体の上端部に不動に組付き、またノズルヘッドが、容器体の組付き体との組合せ物に対して、回動変位および昇降変位可能に組付くと共に、容器体の注出ノズルに、昇降変位不能にかつ密に連通結合しているので、ノズルヘッドは注出ノズルと一体に昇降変位することになり、それゆえノズルヘッドを押下げると、注出ノズルが下降して開状態となって内容液が噴出注出され、ノズルヘッドへの押下げ力を取り去ると、注出ノズルの復帰力により上昇復帰して、注出ノズルは閉状態となる。
【００１４】
注出ノズルの閉状態、すなわちノズルヘッドが上昇限に位置している姿勢で、組付き体に対してノズルヘッドを一方の回動限まで回動させ、ノズルヘッドの注出筒およびロック突片を組付き体のロック筒上端面に搭載させると、ノズルヘッドは、その注出筒およびロック突片のロック筒に対する突き当たりにより下降変位不能となり、注出ノズルを下降させての内容液の注出が不可能なロック状態となる。
【００１５】
このロック状態から、ノズルヘッドを組付き体に対して他方の回動限まで回動変位させて、ノズルヘッドの注出筒およびロック突片を組付き体のロック筒のロック解除切欠きに上方から対向させると、ノズルヘッドは、その注出筒およびロック突片をロック解除切欠きに侵入させながら下降変位可能となり、注出ノズルを一体に下降させての内容液の注出が可能なロック解除状態となる。
【００１６】
ノズルヘッドのロック状態において、ノズルヘッドは注出ノズルに連結した連結筒片側近の注出筒下面箇所およびロック突片下面箇所で、ロック筒により下方から支持された状態となっているので、外力の作用によりノズルヘッドが傾斜するようなことがあっても、ノズルヘッドの連結筒片が下降変位することがなく、また外力の作用によりノズルヘッドに撓み変形が発生しても、この撓み変形により連結筒片が下降変位することがない。
【００１７】
同様に、ノズルヘッドをロック状態に保持する組付き体のロック筒には、補強手段が設けられているので、ロック筒が、外力の作用による撓み変形に伴って下降変位することがない。
【００１８】
請求項２記載の発明は、組付き体に設けた回動規制突片と組合さって回動規制手段を構成する回動規制切欠きを、組付き体に対するノズルヘッドの回動変位および昇降変位を一定した姿勢を維持した状態で達成するようにガイドする、ノズルヘッドの筒壁に形成したので、回動規制切欠きの組付き体に対する姿勢および位置関係がきわめて安定し、これにより回動規制突片に対する回動規制切欠きの姿勢および位置関係が常に正確にかつ安定して維持される。
【００１９】
請求項３記載の発明は、補強手段を、組付き体のロック筒と隔板との間に縦壁片状に複数設けた補強リブで構成したので、ノズルヘッドを介してロック筒に強い押下げ力としての外力が作用しても、ロック筒自体の縮み方向への撓み変形の発生を強力に阻止すると共に、このロック筒を起立設している隔板の中央部分の下方への撓み変形の発生を強力に阻止し、もってロック筒上端面の外力の作用による下降変位の発生を防止する。
【００２０】
請求項４記載の発明は、補強手段を、ロック筒の直下に位置すると共に、容器体のノズルマウントに下端面を当接させた支持筒片で構成したので、ノズルヘッドを介してロック筒に作用する外力である押下げ力を、不動部分であると共に、機械的強度の大きい容器体のノズルマウントで直接受け止めることになる。
【００２１】
請求項５記載の発明は、請求項１記載の発明に、組付き体とノズルヘッドとの一方に設けた薄突片と、他方に設けた引っ掛かり突片との組合せ構造を追加したので、ロック状態とロック解除状態との切り替わりを、引っ掛かり突片の薄突片乗り越え時の衝撃の触感と衝撃音とにより認識することができ、また引っ掛かり突片の薄突片乗り越えのための勢いにより、組付き体に対してノズルヘッドを回動限まで回動させることになり、これによりロック状態とロック解除状態との切り替えを正確に行うことになり、さらにロック状態とロック解除状態との切り替えに、引っ掛かり突片の薄突片乗り越えを必要とするので、この引っ掛かり突片と薄突片との突き当たりが抵抗となって、組付き体に対するノズルヘッドの妄りな回動変位が阻止され、ロック状態とロック解除状態とを切り替えるノズルヘッドの不正回動の発生を防止する。
【００２２】
【実施例】
以下、本発明の一実施例を、図面を参照しながら説明する。
図１は、ロック解除状態における全体縦断側面図を示すもので、エアゾール式容器である容器体２０は、その上端部の周囲にマウント２２を突出状に周設していると共に、上面中央から注出ノズル２１を突出させ、内部に注出ノズル２１の弁機能部分を収納したノズルマウント２３を、その上面中央に突出状に形成している。
【００２３】
組付き体１は、容器体２０のマウント２２に不動に外嵌嵌着する直線円筒形状の組付き筒２と、この組付き筒２の内周面中央部から内鍔状に連設されたリング平板状の隔板４と、この隔板４の内周縁から起立設されたロック筒５とから構成されている。
【００２４】
組付き筒２の下端部内周面には、マウント２２とアンダーカット結合する係止条３が突周設されており、組付き筒２が係止条３によりマウント２２に不動にアンダーカット結合した状態で、隔板４はマウント２２上に搭載した状態となる。
【００２５】
ロック筒５は、その上端面が、少なくとも注出ノズル２１の開閉ストロークよりも大きく組付き筒２の上端面よりも上方に突出位置させており、このロック筒５の上端部に、注出ノズル２１の開閉ストロークと略等しい深さで、前後箇所に対向して一対のロック解除切欠き６を形成している。
【００２６】
後側の組付き筒２内周面と隔板４上面との連設角部に、回動規制手段の一方を構成する縦壁片状の回動規制突片７を立設し、この回動規制突片７の上端面の一部から、回動規制突片７の一部を上方に延長した形態で、肉薄な薄突片８を起立設している。
【００２７】
また、ロック筒５と隔板４との間に、補強手段を構成する前後一対の縦壁片状の補強リブ９を設けると共に、隔板４の下面内周縁に、ロック筒５を下方に延長した形態で、下端面をノズルマウント２３に当接させた他の補強手段を構成する支持筒片１０を設けているが、補強手段としての補強リブ９は、マウント２２上に対向する位置まで側方に延出されるのが、作用した押し下げ力をマウント２２により有効に支えることになるので、隔板４の撓み変形防止効果を高めることができ、同様に、補強手段としての補強リブ９を左右にも設けるのが、ロック筒５および隔板４の撓み変形防止効果をより高めることになる。
【００２８】
なお、組付き筒２の上端縁から外鍔を介して垂下連設された外筒１１は、組付き体１の容器体２０に対する組付き姿勢を安定化させると共に、装置を組付けた容器全体の外観体裁を好ましいものとするためのものである。
【００２９】
ノズルヘッド１２は、周端部をテーパー状に下降傾斜させた円板状の頂壁１３の周端縁から、組付き筒２内に摺動嵌入する直線円筒状の筒壁１５を垂下設し、頂壁１３の下面中央から、下端部を注出ノズル２１上端部に上方から突き当たった状態で密に外嵌結合する円筒状の連結筒片１７を垂下設し、そして頂壁１３の下面に、連結筒片１７と連通して注出通路を形成する注出筒１４を、その先端を筒壁１５から外方に突出させて横設して構成されている。
【００３０】
注出筒１４を連設した側とは反対側の連結筒片１７の上端部には、組付き体１のロック筒５上端面に下端面を対向させてロック突片１８が突設されており、このロック突片１８と注出筒１４は、注出ノズル２１の閉状態で、その下面をロック筒５上端面に搭載する高さ寸法に設定されていると共に、ノズルヘッド１２が回動変位した際に下方に対向するロック解除切欠き６に侵入可能な幅寸法に設定されている。
【００３１】
筒壁１５の後側下端縁部には、注出ノズル２１の開閉ストロークよりも充分に大きい高さ、およびロック状態とロック解除状態との切り替えに必要な幅で、回動規制手段の他方を構成する回動規制切欠き１６が形成されているが、この回動規制切欠き１６の幅は、注出筒１４およびロック突片１８の幅に従って設定されることになる。
【００３２】
この回動規制切欠き１６を形成した筒壁１５の後側内周面上端部には、薄突片８の先端部に周方向から下端部を対向させる縦壁片状の引っ掛かり突片１９が突設されており、この引っ掛かり突片１９は、図５に示すように、組付き体１に対してノズルヘッド１２がロック状態からロック解除状態に回動して切り替わる直前で薄突片８を乗り越える周方向位置に配置されている。
【００３３】
このように、薄突片８と引っ掛かり突片１９との位置関係を、ロック状態からロック解除状態への切り替わりの直前で乗り越えるものとしたのは、ロック解除状態における組付き体１に対するノズルヘッド１２の周方向へのガタツキを防止して、安定した内容液注出可能状態を得るためである。
【００３４】
【発明の効果】
本発明は、上記した構成となっているので、以下に示す効果を奏する。
容器体の注出ノズルから噴出された内容液の注出通路を形成するノズルヘッドを、注出ノズルに対して不動に組付け固定し、組付き体に対してだけ、昇降および回動変位可能に組付ければ良いので、組付き体とノズルヘッドとの相互組付き構造を簡単にすることができると共に、注出ノズルとノズルヘッドとの間のシール性の確保が容易となる。
【００３５】
組付き体に対するノズルヘッドの下降変位不能な組付き状態、すなわちロック状態は、注出ノズルに近接した組付き体のロック筒で支持されるので、押下げ力として作用する外力により組付き体およびノズルヘッドに撓み変形が発生したとしても、この撓み変形がノズルヘッドの連結筒片の下降変位となることが全くないか、きわめて僅かであり、かつロック状態を達成維持するロック筒には押下げ力に対する補強手段が設けられているので、組付き体およびノズルヘッドの撓み変形により、注出ノズルが不正に押下げられるのを強力にかつ安定して防止することができ、これにより内容液の不正噴出の発生を確実に防止できる。
【００３６】
請求項２記載の発明にあっては、ノズルヘッド側の回動規制手段を、組付き体に対するノズルヘッドの昇降および回動変位をガイドする筒壁に設けたので、組付き体に対するノズルヘッドの回動限の正確な設定が容易であると共に、ロック状態とロック解除状態との安定した切り替え動作を得ることができる。
【００３７】
請求項３および４記載の発明にあっては、補強手段を、ロック筒に作用する押下げ力を容器体で支持するように構成したので、ロック筒にきわめて強力で安定した押下げ力支持能力を発揮させることができ、これにより外力の作用に対して高い不正噴出防止効果を発揮する。
【００３８】
請求項５記載の発明にあっては、ノズルヘッドのロック状態とロック解除状態との切り替わりを触感および音で正確に認識することができると共に、組付き体に対するノズルヘッドの回動位置をロック状態位置またはロック解除状態位置に保持することができるので、正確で円滑な使用状況を得ることができると共に、高い安全性を得ることができる。
【図面の簡単な説明】
【図１】本発明の一実施例を示す、ロック解除状態時の全体縦断側面図。
【図２】図１に示した実施例の、一部破断した分解斜視図。
【図３】図１に示した実施例の、全体正面図。
【図４】図１に示した実施例の、全体平面図。
【図５】図１に示した実施例のノズルヘッドの、ロック機能部分と回動規制手段部分と引っ掛かり突片との位置関係を示す、底面図。
【符号の説明】
１  ；  組付き体
２  ；  組付き筒
３  ；  係止条
４  ；  隔板
５  ；  ロック筒
６  ；  ロック解除切欠き
７  ；  回動規制突片
８  ；  薄突片
９  ；  補強リブ
１０；  支持筒片
１１；  外筒
１２；  ノズルヘッド
１３；  頂壁
１４；  注出筒
１５；  筒壁
１６；  回動規制切欠き
１７；  連結筒片
１８；  ロック筒片
１９；  引っ掛かり突片
２０；  容器体
２１；  注出ノズル
２２；  マウント
２３；  ノズルマウント
【図１】
0003682558.tif 000002
【図２】
0003682558.tif 000003
【図３】
0003682558.tif 000004
【図４】
0003682558.tif 000005
【図５】
0003682558.tif 000006